(57)【要約】【課題】第１及び第２読取手段を備えたシートスルータイプの両面画像読取装置において、特に第２読取手段による読取画質を向上させることができる画像読取装置を提供する。【解決手段】自動原稿送り装置１の原稿搬送路７に沿って第１読取手段及び第２読取手段を配設し、搬送される両面原稿を逐次読取るように際して、上記第１読取手段は、静止原稿の読取も可能で、自動送り原稿の読取時には上記原稿搬送路７における所定位置に静止されるよう構成された移動光学系ユニット１３で、一方、上記第２読取手段は、固定光学系ユニット１６とこれの読取面に摺接回転するプラテンローラ１７とよりなり、該固定光学系ユニット１６及びプラテンローラ１７は、上記自動原稿送り装置のサイドフレーム２１に取付けられている。【選択図】      図１
2005057341.tif 000002
【特許請求の範囲】
【請求項１】
自動原稿送り装置の原稿搬送路に沿って第１読取手段及び第２読取手段を配設し、搬送される原稿の両面画情報をこの第１及び第２読取手段により逐次読取るようにした画像読取装置であって、
上記第１読取手段は、静止原稿の読取も可能な移動光学系ユニットよりなり、この移動光学系ユニットは、自動送り原稿の読取時には上記原稿搬送路における所定位置に静止されるよう構成され、一方、上記第２読取手段は、固定光学系ユニットとこれの読取面に摺接回転するプラテンローラとよりなり、該固定光学系ユニット及びプラテンローラは上記自動原稿送り装置の機体を構成するサイドフレームに取付けられていることを特徴とする画像読取装置。
【請求項２】
上記固定光学系ユニットは、上記原稿搬送路幅に亘る読取ラインを備えた横長形状とされ、その読取ラインに平行なシャフトを介して上記サイドフレームに取付け固定されると共に、該シャフトには原稿を案内するガイド部材が取付けられていることを特徴とする請求項１に記載の画像読取装置。
【請求項３】
上記ガイド部材が、上記シャフトに対してその軸心を支点として上下揺動可能に取付けられていることを特徴とする請求項２に記載の画像読取装置。
【発明の詳細な説明】
【０００１】
【発明の属する技術分野】
本発明は、自動原稿送り装置で搬送される原稿の両面画像を、１回の通紙で読取る所謂シートスルータイプの両面画像読取装置に関する。
【０００２】
【従来の技術】
一般に、電子写真複写機やファクシミリ装置においては、原稿トレーにセットされた原稿を１枚ずつ分離して読取部に連続供給する自動原稿送り装置（ＡＤＦ装置）を備えている。そして、原稿画情報の読取方式としては、ＡＤＦ装置の原稿搬送路の途中に読取部を配置して原稿を搬送しながら読取る方式と、読取光学系がプラテンガラス上に載置された原稿の下面を移動しながら読取り走査するフラットベットスキャナ（ＦＢＳ）方式とを併用したものも広く採用されるようになった。この方式において、自動送り原稿を読取る際には、上記読取光学系が原稿搬送路の途中の読取ポイントに移動して静止し、搬送される原稿の画情報を逐次読取る。上記シートスルータイプの両面画像読取装置は、この読取ポイントとは別の原稿搬送路上の位置に、固定の読取光学系を配置し、原稿を搬送しながらその反対面の画情報を読取るように構成される。
【０００３】
上記のようなシートスルータイプの両面読取方式を採用した画像読取装置の例として、特許文献１に開示されたものを挙げることができる。この特許文献１に開示された原稿読取装置は、プラテンガラス上に載置された原稿の下面を移動しつつその画情報を読取ると共に、自動送り原稿の画情報を読取る時には、スリットガラスの下に移動して静止し、搬送される原稿を読取る第１読取手段（移動光学系）と、ＡＤＦ装置に取付けられ、上記第１読取手段による読取面とは反対の面の画情報を読取る第２読取手段（固定光学系）とを備える（問えば、特許文献１を参照）。
【０００４】
【特許文献１】
特開平０１−１９４６５８号公報
【０００５】
【発明が解決しようとする課題】
上記特許文献１に開示されたような原稿読取装置においては、原稿をＵターン状に搬送することによる設置スペースの関係からコンパクト性が求められる為に、上記第２読取手段として、密着型イメージセンサやＣＣＤ（電荷結合素子）を用いて小型にユニット化した読取光学系を使用することが多い。ところで、このような密着型イメージセンサ等のコンパクト化された読取手段は、その構造的特性上、焦点深度（被写体深度）が浅く、その為、取付位置によっては、原稿ガイド体の開閉機構の振動や、原稿の分離・搬送時の負荷変動の影響を受け、物像間距離の相対的ばらつきが大きくなることがあり、読取画質の低下をもたらすことにもなっていた。一方、第１読取手段は、スペースの関係上、物像間距離を大きく確保することができる為に、その相対的ばらつきが小さく、その結果、両読取手段による画質にアンバランスが生じることにもなり、これがこの種両面画像読取装置の商品価値を低下させる原因ともなることがあり、その改善が望まれるところであった。
【０００６】
本発明は上記のような実情に鑑みなされたものであり、第１及び第２読取手段を備えたシートスルータイプの両面画像読取装置において、特に第２読取手段による読取画質を向上させることを目的とするものである。
【０００７】
【課題を解決するための手段】
上記課題を解決するために、請求項１の発明に係る画像読取装置は、自動原稿送り装置の原稿搬送路に沿って第１読取手段及び第２読取手段を配設し、搬送される原稿の両面画情報をこの第１及び第２読取手段により逐次読取るようにした画像読取装置であって、上記第１読取手段は、静止原稿の読取も可能な移動光学系ユニットよりなり、この移動光学系ユニットは、自動送り原稿の読取時には上記原稿搬送路における所定位置に静止されるよう構成され、一方、上記第２読取手段は、固定光学系ユニットとこれの読取面に摺接回転するプラテンローラとよりなり、該固定光学系ユニット及びプラテンローラは上記自動原稿送り装置の機体を構成するサイドフレームに取付けられていることを特徴とする。
【０００８】
上記構成によれば、第２読取手段を構成する固定光学系ユニット及びプラテンローラを、上記自動原稿送り装置の機体を構成するサイドフレームに取付けるようにしているから、第２読取手段は、原稿ガイド体の開閉機構等の振動を直接受けることがなく、また、第２読取手段に対する原稿の分離・  搬送時の負荷変動も伝わりにくい。更には、固定光学系ユニット及びプラテンローラが同一のサイドフレームに取付けられているから、両者に対する上記振動等の伝わり方が異なることもない。従って、相対的な物像間距離の変動のばらつきが小さく、読取画質の低下を来たすことがないのである。
【０００９】
請求項２の発明は、上記固定光学系ユニットが、上記原稿搬送路幅に亘る読取ラインを備えた横長形状とされ、その読取ラインに平行なシャフトを介して上記サイドフレームに取付け固定されると共に、該シャフトには原稿を案内するガイド部材が取付けられていることを特徴とする。この構成によれば、固定光学系ユニットが、その読取ラインに平行なシャフトを介して上記サイドフレームに取付け固定されているから、このシャフトを基準にして、読取ラインの正確な位置付けができ、また読取ラインに平行なシャフトに対して原稿のガイド部材が取付けられるようにしているから、ガイド部材も搬送原稿に対して左右バランスよく取り付けられる。
【００１０】
請求項３の発明は、上記ガイド部材が、上記シャフトに対してその軸心を支点として上下揺動可能に取付けられていることを特徴とする。従って、このガイド部材付近で原稿のジャム等が生じた場合には、ガイド部材を手指で持ち上げることにより、ジャムの状態把握やジャム紙の取り出しを容易に実施することができる。
【００１１】
【発明の実施の形態】
以下に本発明の実施の形態について図面を参照して説明する。図１はファクシミリ装置や複写機、或いはファクシミリと複写の両機能を備えた所謂複合機におけるＡＤＦ１の要部の縦断面図を示すものである。図例のＡＤＦ１は、シートものの原稿Ｄを１枚ずつ搬送しながら、その両面の画像を読み取って、それぞれデジタル信号として出力するための原稿送り装置として構成されている。
【００１２】
ＡＤＦ１の原稿供給口部２ａには、原稿トレー２ｂが該原稿供給口部２ａに向かって下方に傾斜するよう着脱自在に装着され、この原稿供給口部２ａと原稿トレー２ｂとにより原稿載置部２が構成されている。原稿供給口部２ａ上には、原稿載置部２に堆積された原稿Ｄを上層部より繰出すピックアップローラ３が配設され、このピックアップローラ３に引き続き、繰出された原稿を１枚ずつ分離して給送する原稿分離装置４が装備されている。該原稿分離装置４は、分離ローラ５と、この分離ローラ５の周体に弾接するよう付勢されると共にトルクリミッタを介し該分離ローラ５に対向回転するよう構成されたリタードローラ６とからなる。ピックアップローラ３で繰出された原稿は、分離ローラ５とリタードローラ６との間に導入され、両者の対向回転に伴う作用及び両者の紙に対する摩擦係数の差により１枚ずつ分離され、下流側に給送される。このリタードローラ６の機構は、本出願人に係る特開２００１−２３３４９１号公報に開示されたものと略同じであるので、ここではその詳細な説明を割愛するが、６ａは、リタードローラ６を分離ローラ５に弾接させる為に弾装された圧縮スプリングであり、６ｂはこの圧縮スプリング６ａのばね力を調整するための調整ねじである。また、リタードローラ６は、後記する第１搬送ローラ８の駆動軸８ｂに揺動可能に取付けられた第１アーム６ｃ及び第２アーム６ｄを介し支持され、且つ２個のアイドラギヤ（不図示）を介して、駆動軸８ｂから駆動伝達されるようになされている。
【００１３】
上記原稿分離装置４により１枚ずつ分離された原稿は、Ｕターン状に形成された原稿搬送路７に沿って順次配設された第１搬送ローラ８及び第２搬送ローラ９によりレジスト搬送されて第１の読取ポイントＰ１に至り、更に第２の読取ポイントＰ２に給送され、排出ローラ１０により排出トレー１１に排出される。第１の読取ポイントＰ１にはプラテン（スリットガラス）１２が配置され、原稿が該プラテン１２上を通過する際、このプラテン１２の下部に待機された移動光学系ユニットとしての読取走査装置（第１読取手段）１３により、原稿表面の画情報が逐次読み取られ、上記のようにデジタル信号として出力される。
【００１４】
この読取走査装置１３は、蛍光灯或いは冷陰極管からなる光源１３ａと、複数のミラー１３ｂ…と、集光レンズ１３ｃと、ＣＣＤ（電荷結合素子）１３ｄとよりなり、これらがユニット化され、キャリッジ１３ｅ上に搭載されている。光源１３ａからの照射光は、プラテン１２上の読取ポイントＰ１を通過する原稿により反射され、その後４個のミラー１３ｂ…で反射を繰り返し、集光レンズ１３ｃで集光され、ＣＣＤ１３ｄに入光する（１点鎖線の光路参照）。ＣＣＤ１３ｄでは、原稿の表面上に描かれた画情報が電気信号に変換され、デジタル信号として出力される。
【００１５】
図例の読取走査装置１３は、フラットベッドスキャナ（ＦＢＳ）にも兼用するよう構成されている。即ち、図示を一部省略したが、図１における破断部分の右側にはＦＢＳ部１４が連成されている。上記キャリッジ１３ｅは、図例ではＡＤＦ原稿の読取位置に静止された状態を示すが、ＦＢＳ原稿の読取時には、ＦＢＳ部１４内に移動し、ＦＢＳ部１４内をプラテンガラス１５の下面に沿って往復移動し、この往復移動の間、プラテンガラス１５上に載置された原稿の画情報が、読取走査装置１３によって上記同様に読み取られる。ＡＤＦ１、原稿トレー２ｂ及び排出トレー１１は一体化されてプラテンカバーを構成し、紙面奥側をヒンジ部（不図示）として上下に開閉可能とされている。従って、ＦＢＳ部１４にて原稿読み取りを行う際は、このプラテンカバーを開け、露見したプラテンガラス１５上に原稿を載置することによりなされる。尚、図１では紙面手前側が装置の正面とされる。
【００１６】
上記のように、第１の読取ポイントＰ１で表面（片面）画像が読み取られた原稿は、更に、第２の読取ポイントＰ２に至るが、この第２の読取ポイントＰ２は、搬送原稿の裏面（他面）側に配置された密着型イメージセンサ（固定光学系ユニット）１６と、これに接触的に配置されたプラテンローラ１７との接触点とされる。即ち、密着型イメージセンサ１６とプラテンローラ１７とにより第２読取手段が構成され、密着型イメージセンサ１６とプラテンローラ１７との間に導入される原稿は、プラテンローラ１７の回転により密着型イメージセンサ１６の読取面を摺接しながら給送され、この間原稿の裏面画像が密着型イメージセンサ１６により読取られ、電気信号に変換されてデジタル信号として出力される。
【００１７】
上記分離ローラ５、リタードローラ６、第１、第２搬送ローラ８、９、プラテンローラ１７及び排出ローラ１０は、１個のモーター（不図示）を駆動源とし、適宜ギヤ或いはベルト等の伝達手段（同）を介し駆動伝達がなされ、また適宜電磁クラッチ（同）により個々にオン・オフ制御がなされるよう構成されている。これらの駆動伝達系は、図示は省略するが、主に紙面奥側の機体フレームに一括装備されている。
【００１８】
ピックアップローラ３は、分離ローラ５の駆動軸５ａから駆動伝達されるよう構成される。これを略述すれば、該駆動軸５ａにはトルクリミッタ（不図示）を介しフレーム３ａが上下揺動可能に取付けられ、このフレーム３ａの先側には支軸３ｂが軸回転可能に支持されている。上記駆動軸５ａに取付けられたプーリー５ｂと、支軸３ｂに取付けられたプーリー３ｃとの間にベルト３ｄが張設されており、駆動軸５ａの回転がプーリー５ｂ、ベルト３ｄ及びプーリー３ｃを介して支軸３ｂに伝達され、更にこの支軸３ｂの回転はワンウェイクラッチ（不図示）を介してピックアップローラ３に伝達されるようになされている。尚、このような駆動伝達系は、プーリー及びベルトによるものに限らず、ギヤによるものも採用可能であることは言うまでもない。
【００１９】
斯く構成されたピックアップローラ３は、待機状態ではフレーム３ａをして上方に位置し、上記駆動軸５ａが正回転（Ａ方向）すると、上記トルクリミッタの作用によりフレーム３ａが駆動軸５ａを支点として下方に揺動する。この揺動はピックアップローラ３が原稿載置部２上に堆積された原稿Ｄの最上層部に押当した時に停止するが、駆動軸５ａの引続く回転により、上記伝達系（プーリー５ｂ、ベルト３ｄ及びプーリー３ｃ）を介しピックアップローラ３が回転する。このように、駆動軸５ａが正回転している間、ピックアップローラ３は堆積原稿Ｄの最上層部に押当されながら回転するので、原稿Ｄは最上層部より逐次繰出されて行く。そして、駆動軸５ａが一旦停止し逆回転（反Ａ方向）すると、フレーム３ａがトルクリミッタの作用により上方に揺動し、その後の駆動軸５ａの停止により、待機状態に静止保持される。
【００２０】
分離ローラ５は不図示のワンウェイクラッチを介し駆動軸５ａから駆動伝達される。従って、駆動軸５ａの正回転により、上記のようにピックアップローラ３から原稿Ｄが繰出され、繰出された原稿は分離ローラ５と分離パッド４ｂとの間に導入され、前記のように１枚ずつ分離されて下流側に給送される。分離ローラ５から給送された原稿Ｄは、第１搬送ローラ８によりレジストされて更に下流側に搬送されるが、この第１搬送ローラ８以降の各ローラ９、１７、１０の周速は、分離ローラ５及びピックアップローラ３の周速より大とされ、分離ローラ５と、第１搬送ローラ８との間で原稿のページ間隔を確保するようになされている。従って、分離ローラ５から給送された原稿Ｄの先端が第１搬送ローラ８に差し掛かるとその周速度差により、原稿に搬送負荷（引張力）が掛かるが、分離ローラ５及びピックアップローラ３には上述のように不図示のワンウェイクラッチが組み込まれており、これにより両ローラ５、３が空回転し、上記搬送負荷が緩和される。
【００２１】
第１搬送ローラ８、第２搬送ローラ９及び排出ローラ１０には、夫々プレッシャーローラ８ａ、９ａ及び１０ａが対設され、原稿はこれらローラにニップされて搬送される。上記分離ローラ５とこれに連関するピックアップローラ３及びプレッシャーローラ８ａは、ヒンジピン１８ａを支点として上下に開閉可能に枢着されたジャムアクセスカバー１８の内側に取付けられている。従って、第２搬送ローラ９に至るまでの原稿搬送路７で原稿ジャムが発生した場合は、このジャムアクセスカバー１８を開けることにより、リタードローラ６、第１搬送ローラ８との間が開放されるので、ジャム原稿の取出しが容易に行える。
【００２２】
また、プレッシャーローラ１０ａ、リタードローラ６及び上記圧縮スプリング６ａを含むその支持機構は、第１搬送ローラ８の駆動軸８ｂに対し、その軸心を支点として上下に開閉可能に枢着された中間フレーム１９に取付けられている。１９ａは該中間フレーム１９を開閉する為の操作摘みである。従って、排出ローラ１０付近で原稿ジャムが発生した時には、この操作摘み１９ａを手指で持ち上げ、中間フレーム１９を開けることにより、そのジャム解除がなされる。また、前記調整ねじ６ｂによる圧縮スプリング６ａのばね力調整も、この中間フレーム１９を開けた状態で実施することができる。
【００２３】
第１搬送ローラ８、第２搬送ローラ９、排出ローラ１０及びプラテンローラ１７は、夫々の駆動軸８ｂ、９ｂ、１０ｂ及び１７ａをして、前記プラテンカバーの機枠をなす機体フレーム２０に立設された前後一対の平行なサイドフレーム２１に回転可能に支持されている。また、第１搬送ローラ８及び第２搬送ローラ９の間の両サイドフレーム２１間には、上記用紙搬送路７の一部を構成する湾曲したインナーガイド部２２が架設一体とされ、更に、第２搬送ローラ９の駆動軸９ａには、その下流側において下向きにばね（不図示）付勢されたガイドフレーム２３が上下揺動可能に取付けられている。このガイドフレーム２３の揺動端側下面には小突起２３ａが形成され、この小突起２３ａが前記プラテン１２の表面に当接することにより、ガイドフレーム２３とプラテン１２との間に、搬送原稿が読取ポイントＰ１上をばた付くことなく通過し得る程度の間隙を確保するようになされている。
【００２４】
そして、上記ジャムアクセスカバー１８及び中間フレーム１９を開け、このガイドフレーム２３を、付勢ばねの弾力に抗して持ち上げることにより、ガイドフレーム２３下にジャムした原稿の取出しや、プラテン１２の表面の清掃が可能とされる。２４は、上記ガイドフレーム２３のガイド面に弾接する可撓性シートであり、第２搬送ローラ９を通過した原稿をガイドフレーム２３のガイド面に沿うようガイドする。この可撓性シート２４とガイドフレーム２３とにより、原稿が読取ポイントＰ１上をばた付くことなく極めて円滑に通過し、その片面の画情報が前記読取走査装置１３により、逐次精度よく読取られる。
【００２５】
上記サイドフレーム２１には、更に、横長の密着型イメージセンサ１６が、シャフト１６ａを介して取付け固定されている。この詳細を、図２をも併せ説明する。図２は、要部の概略的平面図であり、シャフト１６ａは、密着型イメージセンサ１６の長手方向両端面に固設され、この両シャフト１６ａをして密着型イメージセンサ１６が両サイドフレーム２１間に所定角度に維持された状態で固定される。この密着型イメージセンサ１６の読取面側にはコンタクトガラス１６ｂが固着され、このコンタクトガラス１６ｂの表面に、上記プラテンローラ１７が密着し、摺接回転可能に配置される。
【００２６】
コンタクトガラス１６ｂの表面上に存在する第２の読取ポイントＰ２の長手方向に連続する線分が読取ラインＬとされ、この読取ラインＬと上記シャフト１６ａの軸心とが互いに平行とされている。従って、このシャフト１６ａをサイドフレーム２１に正確に位置付け固定することにより、読取ラインＬの的確な位置決めがなされる。図例では、プラテンローラ１７が、この読取ラインＬに沿ってコンタクトガラス１６ｂに密着するよう配置され、即ち、読取ラインＬが、シャフト１６ａの軸心とプラテンローラ１７の軸心とを結ぶ面域上に存在するよう配置設定されている。このような設定により、原稿がプラテンローラ１７とコンタクトガラス１６ｂとの間に円滑に導入され、その他面の画情報が第２の読取ポイントＰ２において正確に読取られるが、プラテンローラ１７とコンタクトガラス１６ｂとの密着点を、読取ラインＬより若干上流側に設けても同様の読取精度が得られる。
【００２７】
上記シャフト１６ａには、密着型イメージセンサ１６の上流側に位置して上下揺動可能に原稿ガイド部材１６ｃが取付られている。この原稿ガイド部材１６ｃは、第１の読取ポイントＰ１を通過した原稿を、円滑に第２の読取ポイントＰ２にガイドする為のものであり、これによりその他面の画情報が第２の読取ポイントＰ２において正確に読取られる。また、原稿ガイド部材１６ｃを上下揺動可能とすることにより、この部分における原稿の状態確認やジャム原稿の取出しが容易となる。更に、前記ガイドフレーム２３の機能とも相俟って、プラテン１２の表面の清掃メンテナンスがし易くなる。この原稿ガイド部材１６ｃは、ガイドフレーム２３と同様に、常時下向きにばね付勢するよう構成することも可能である。尚、図２においては、中間フレーム１９を仮想線（１点鎖線）で示し、該中間フレーム１９に装備されるリタードローラ６及びその機構やプレッシャーローラ１０ａについてはその図示を省略している。
【００２８】
上記のように、ピックアップローラ３及び原稿分離装置４により１枚ずつ繰出し分離された原稿Ｄは、第１搬送ローラ８によりレジストされ、インナーガイド２２に沿って原稿搬送路７を搬送されて第２搬送ローラ９により第１の読取ポイントＰ１に給送される。この第１の読取ポイントＰ１において、その下に配備された前記読取走査装置１３により、原稿Ｄの片面の画情報が逐次よく読取られる。原稿Ｄは引続き給送され、密着型イメージセンサ１６とプラテンローラ１７とのニップ位置、即ち第２の読取ポイントＰ２に導入され、プラテンローラ１７の回転作用によりコンタクトガラス６ｂの表面を摺接しながら、その他面の画情報が密着型イメージセンサ１６により逐次読取られる。その後、排出ローラ１０により排出トレー１１に排出堆積される。斯くして読取られた原稿Ｄの両面の画情報は、デジタル信号として取出され、適宜プリント或いは送信処理される。
【００２９】
第２読取手段を構成する密着型イメージセンサ１６及びプラテンローラ１７は、ジャムアクセスカバー１８や中間フレーム１９のような振動を発生し易い開閉機構とは別のサイドフレーム２１に取付けられているので、これらの振動を受け難く、また、サイドフレーム２１は、振動発生源となり易いピックアップローラ３や原稿分離装置４の支持に直接関与しないから、密着型イメージセンサ１６及びプラテンローラ１７への振動の影響も少なく、更に、両者は共通のサイドフレーム２１に支持されているから、振動の伝わり方に差異がなく、従って、その光学系における物像間距離の変動のばらつきが小さく、精度の高い画像読取が保証される。特に、光学系がコンパクトに構成された密着型イメージセンサのように、被写体深度が浅い場合は、小さな振動でも相対的な物像間距離の変動のばらつきが大きくなるが、上記のような取付構造においては物像間距離の変動の絶対値が小さくなり、読取走査装置１３による読取画質との差が生じなくなる。因みに、上記のような光学系で構成された読取走査装置１３は、その物像間距離を大きく設定することが可能であるので、上記のような負荷変動等による振動の影響が少なく、元来その読取品質は高いものである。
【００３０】
図３は他の実施形態を示すものであり、密着型イメージセンサ１６の筐体１６ｄにガイド部材１６ｃが一体的に形成されている。この筐体１６ｄの両端面に、シャフト１６ａが取付け固定されており、上記同様シャフト１６ａをして、密着型イメージセンサ１６がサイドフレーム２１に固定されている。このように、ガイド部材１６ｃを密着型イメージセンサ１６に一体化すれば、第１の実施形態のような揺動によるメリットはないが、本実施形態では、別途ガイド部材を設ける必要がなく、またその取付手段も不要とされるから、部品点数及び取付工数が減り、省コスト化に貢献する。その他の構成は、図１及び図２に示す例と同様であるので、共通部分には同一の符号を付しその説明を割愛する。
【００３１】
尚、上記実施形態では、第２読取手段を構成する固定光学系ユニットとして密着型イメージセンサ１６を採用したが、ＣＣＤを用いて光学系をコンパクトに構成した読取手段や、シートスルータイプの画像読取装置に適用し得るその他の読取手段も適宜採択し得ることは言うまでもない。また、図例では第２読取手段を第１読取手段の下流側に配設しているが、これを逆にすることも可能であり、設置スペース等に応じて適宜設計的事項として変更し得ることも言うまでもない。
【００３２】
【発明の効果】
本発明の画像読取装置においては、第２読取手段を構成する固定光学系ユニット及びプラテンローラを、上記自動原稿送り装置の機体を構成するサイドフレームに取付けるようにしているから、第２読取手段は、原稿ガイド体の開閉機構等の振動を直接受けることがなく、また、第２読取手段に対する原稿の分離・  搬送時の負荷変動も伝わりにくい。更には、固定光学系ユニット及びプラテンローラが同一のサイドフレームに取付けられているから、両者に対する上記振動等の伝わり方が異なることもない。従って、相対的な物像間距離の変動のばらつきが小さく、読取画質の低下を来たすことがなく、特に、第１読取手段の読取画質とのアンバランスが生じず、簡単な構成でありながら、商品価値の極めて高い両面画像読取装置を提供することができる。
【００３３】
請求項２の発明においては、固定光学系ユニットが、その読取ラインに平行なシャフトを介して上記サイドフレームに取付け固定されているから、このシャフトを基準にして、読取ラインの正確な位置付けができ、また読取ラインに平行なシャフトに対して原稿のガイド部材が取付られるようにしているから、ガイド部材も搬送原稿に対して左右バランスよく取り付けられる。更に、請求項３の発明においては、ガイド部材付近で原稿のジャム等が生じた場合には、ガイド部材を手指で持ち上げることにより、ジャムの状態把握やジャム紙の取り出しを容易に実施することができ、更には、原稿搬送路の清掃メンテナンス等も実施しやすくなる。
【図面の簡単な説明】
【図１】ＡＤＦと走査装置の要部を示す縦断面図である。
【図２】第２読取手段の周辺要部の概略的平面図である。
【図３】別実施形態の要部の概略的縦断面図である。
【符号の説明】
１      ＡＤＦ（用紙搬送装置）
１３    読取走査装置（移動光学系ユニット、第１読取手段）
１６    密着型イメージセンサ（固定光学系ユニット、第２読取手段）
１６ａ  シャフト
１６ｃ  ガイド部材
１７    プラテンローラ（固定光学系ユニット、第２読取手段）
２１    サイドフレーム
Ｌ      読取ライン
【図１】
2005057341.tif 000003
【図２】
2005057341.tif 000004
【図３】
2005057341.tif 000005